(57)【特許請求の範囲】
【請求項１】
遊技球を貯留する受け皿が前面側に設けられた遊技機において、
前記受け皿の前面に意匠が表示された表示パネルが設けられるとともに、
この表示パネルと、この表示パネルに対向して当該パネルから所定間隔をおいて配置されているとともに透明部材からなる帯体と、この帯体を前記受け皿に固定する固定部材とによって形成される収納ポケットが、前記表示パネルの前面に設けられることを特徴とする遊技機。
【請求項２】
前記表示パネルの裏面には照明器具が備えられていることを特徴とする請求項１に記載の遊技機。
【請求項３】
前記帯体が弾性を有すると共に、その裏面にクッション材を有することを特徴とする請求項１または２に記載の遊技機。
【請求項４】
前記収納ポケットの底部には開口部が形成されていることを特徴とする請求項１〜３のいずれか１項に記載の遊技機。
【発明の詳細な説明】
【技術分野】
【０００１】
本発明は遊技機に関する。
【背景技術】
【０００２】
従来より、遊技機には、遊技球を貯留できる受け皿が備えられている（特許文献１）。
一方、遊技者は、遊技中にライターやタバコ、ドリンク、携帯電話その他の小物を手短な所に置いておいた状態で遊技したいという要求がある。そこで、従来より遊技機には、受け皿に物入れが取付られている。しかし従来の物入れは、配置スペースを広く取るものであった。（特許文献２、３）
【０００３】
ところで受け皿は、元来、遊技球を貯留するためのものであるが、最近、遊技機のデザイン重視の考え方から、受け皿の前面にロゴ等の表示パネルを取り付ける傾向にある。
【０００４】
表示パネルは、そのデザインを遊技者に広く視認させるためのものであるから、表示パネルを受け皿に取り付ける場合でもその配置スペースはできるだけ大きくする必要がある。しかし、これまでは、受け皿に表示パネルを取り付けるという発想自体がなかった。このため、受け皿は、遊技を実行するに支障ない程度の大きさでしかなかった。
【０００５】
したがって、表示パネルを受け皿に付けた場合のパネルによる表示効果を高めるために、現在では受け皿自体が大きくされる傾向にある。しかし、遊技機自体の大きさは変わらないので、受け皿が大きくなった分、前記物入れなどの備品が取り付けられない、または小さくせざるを得ない。
【特許文献１】特開２００３−１９０４２９号公報
【特許文献２】特閑２００１−１８７２６１号公報
【特許文献３】特開２００１−２８５４２７号公報
【発明の開示】
【発明が解決しようとする課題】
【０００６】
本発明は上記実情に鑑みてなされたものであり、その解決しようとする課題は、前面にロゴ等の表示パネルが取り付けられかつ小物入れとしての機能も有する受け皿を備えた遊技機を提供することにある。
【課題を解決するための手段】
【０００７】
前記課題を達成するために、本発明の遊技機は以下の手段を採用する。
すなわち、本発明の遊技機は、遊技球を貯留する受け皿が前面側に設けられた遊技機において、前記受け皿の前面に意匠が表示された表示パネルが設けられるとともに、この表示パネルと、この表示パネルに対向して当該パネルから所定間隔をおいて配置されているとともに透明部材からなる帯体と、この帯体を前記受け皿に固定する固定部材とによって形成される収納ポケットが、前記表示パネルの前面に設けられることを特徴とする。
【０００８】
表示パネル及び収納ポケットは、当然のことながら遊技者の前に位置する。したがって、遊技者は、遊技しながら又は遊技機に近づいた時には表示パネルの表示内容を視認できるほか、収納ポケットに対して収納物の出し入れがし易くなる。
【０００９】
表示パネルの意匠としては、会社名や商品名などを独特の字体やデザインで表示すると好適である。また、収納ポケットは、帯体を表示パネルに固定部材で取り付けるだけの簡単な作業で形成できるので、受け皿への組み付けが簡単である。固定部材としては、帯体
が受け皿から取れないようにできるものであれば何でもよい。
【００１０】
また帯体を透明部材から形成することで、表示パネルに帯体が対向していても、すなわち帯体が表示パネルの前面に位置していても表示パネルの内容を透視できる。また、前記表示パネルの裏面に照明器具を設ければその光により表示パネルが裏面から照らされるので、表示パネルの内容が鮮明になるため見易くできる。
【００１１】
さらに帯体に耐火性を有するようにすれば、遊技者の煙草の火が間違って接触した場合でも燃えてしまうようなことがない。
【００１２】
そして、帯体に弾性を有すると共に帯体の裏面にクッション材を設けるようにすれば、予想外の外力を帯体が受けた場合にもその外力を和らげることができる。
【００１３】
また収納ポケットの底部に開口部を形成すれば、ゴミ、屑、塵埃を容易に排出することができるので収納ポケットの掃除が簡単に行える。
【発明の効果】
【００１４】
本発明によれば、少なくともその前面に取り付けられた表示パネルによって、会社名や商品名などの意匠表示ができるばかりか遊技者のための使い勝手のよい小物入れとして機能する受け皿を有する遊技機を提供することができる。
【発明を実施するための最良の形態】
【００１５】
本発明の遊技機をパチンコ遊技機を例にして説明する。
【００１６】
図１は、本発明に係る遊技機が適用されるパチンコ遊技機１の外観を示す斜視図である。  パチンコ遊技機１は、外枠２と、外枠２に回動自在に設けられている本体枠３と、本体枠３に着脱可能に固定されている遊技盤４と、本体枠３に回動自在に設けられ遊技盤４の前面を覆うガラス扉５と、本体枠３に回動自在に設けられガラス扉５の下方に配置されている下扉６と、遊技盤４の下方裏面に配置されパチンコ球を一発ずつ遊技盤４に向けて発射する図示しない発射装置と、ガラス扉５の上部に配置され、必要に応じて点滅する報知用ランプ７と、ガラス扉５の左右上部に配置されているスピーカ８と、下扉６に配置され貸球および賞球を貯留する受け皿９と、下扉６のうち受け皿９の向かって右側に配置され、前記発射装置を作動させる操作ハンドル１０等を備えている。
【００１７】
図１〜図５からわかるように、受け皿９には、その前面９ａに意匠が表示された表示パネル１３が受け皿９のほぼ全域に設けられている。意匠として、表示パネル１３には、遊技機メーカの社名、パーラその他の遊技場の名称、遊技機の商品名などを独特の字体やデザインで描写され、または液晶によりそれらが表示されるようになっている。
また、図６及び図７からわかるように、表示パネル１３の裏面には照明器具１４が備えられている。
【００１８】
さらに、受け皿９の前面側には、表示パネル１３に対向した位置であってかつ表示パネル１３との間に所定間隔Ｌをおいて、帯体１５が固定されている。
帯体１５は、透明プラスチック材や透明でかつ弾力を有するゴム材からなり、表示パネル１３の左右方向に橋渡しできる程に長い長四角形状をしている。詳しくは、左右線対象の形状をしており、帯体中央部１５ｍに比して左右の端部（以下、両端部）１５ａ，１５ａは、長手方向（図３の左右方向）において短いが、幅方向（図３の上下方向）においては中央部よりもある程度の幅を持ち、平面形状でＩの字を変形した如き形をしている（図１〜図３参照）。また、帯体１５の両端部１５ａ，１５ａの横断面形状はＬ字形をしている（図７参照）。
帯体１５の取り付けにより、表示パネル１３の前面側で上方に大きく開口した状態で小物収納ポケット１７が受け皿９に形成される。
【００１９】
帯体１５の受け皿９への固定は、帯体１５の両端部１５ａ，１５ａの各端縁１５ａ１・１５ａ１及び下縁１５ａ２を表示パネル１３の左右に形成した側凹部１３１及び１３１並びに下凹部１３２に嵌め込むことで行う周知のはめ込み方式が採用されている（図６及び図７参照）。なお、側凹部１３１・１３１及び下凹部１３２は共に前方に開口する。
【００２０】
当該固定をするための帯体１５の左右の端縁１５ａ１・１５ａ１（図６参照）及び下縁１５ａ２（図７参照）並びに表示パネル１３の左右に形成された側凹部１３１及び１３１（図６参照）及び下凹部１３２（図７参照）を固定部材という。なお、帯体１５の表示パネル１３への取り付けは接着によるものでもよい。要は帯体１５が受け皿９から取れなければよい。
【００２１】
また帯体１５の裏面（表示パネル１３の側）には外力が掛かった場合の緩衝材としてクッション材１９を裏面のほぼ全域に設けてある。
そして、帯体１５の中央部１５ｍが、収納ポケット１７の底部１７ａから幾分離れた箇所に位置するように帯体１５を受け皿９に取り付けると、帯体１５がＩの字形故、その中央部１５ｍの幅寸法が両端部１５ａよりも短寸であることより、収納ポケット１７には、そこに貯まったゴミや塵埃を排出するための開口部２１が前面側に開いた状態で収納ポケット１７の中央底部に形成されるようになる（図１〜３及び図６参照）。
【００２２】
なお、従来よりパチンコ遊技機には、パチンコ球を遊技領域に打ち出すための打出装置に遊技球を供給するための上皿と、上皿の下方に位置し、上皿が遊技球で満杯になる前に遊技者により排出された遊技球を上皿とは別に貯留する下皿とを有していた。
【００２３】
ところで近年、パチンコ遊技機に高級感を持たせるために、デザインの斬新化や装飾の一体化および重厚化を図る傾向にある。そして、このパチンコ遊技機１にあっても例外では無い。受け皿９は、パチンコ球を遊技盤４に打ち出すための打出装置にパチンコ球を供給する上皿の機能とパチンコ遊技球を図示しないパチンコ球収納箱に直接排出する下皿の機能を併せ持つ。また受け皿９は、上部を前方に突出させて容量を増大してある。このような構成の結果、受け皿９の全体が大きくなり、表示パネル１３の面積もこれまでの上皿と下皿とを合わせた位の面積を確保する。
【００２４】
受け皿９は、パチンコ遊技機１の前面に位置するので、受け皿９に取り付けられる表示パネル１３及び収納ポケット１７も遊技者の前面に当然位置する。また、受け皿９の前面のほぼ全域に表示パネル１３は取り付けられている。したがって、遊技者は表示パネル１３の表示内容を視認し易い。
【００２５】
加えて、帯体１５は、表示パネル１３の左右方向に橋渡しできる程に長いから、収納ポケット１７もそれに合わせて大きくなるので、収納ポケット１７に収納された収納物を取り出し易くなる。収納物としては、ライターやタバコ、ドリンク、携帯電話その他の小物以外に、パチンコ遊技機１の使用説明書を入れることもできる。
【００２６】
表示パネル１３はそれ自身で会社名や商品名などを独特の字体やデザインで表示するが表示パネル１３の裏面にある照明器具１４により表示パネル１３の表示内容を一層見易くできる。
【００２７】
また、収納ポケット１７は、帯体１５の両端縁１５ａ１，１５ａ１及び下縁１５ａ２をそれぞれ表示パネル１３の左右に形成した側凹部１３１，１３１及び下凹部１３２に嵌め
込むだけの簡単な作業で形成できるので、受け皿９へ帯体１５の組み付け、延いては収納ポケット１７の形成が簡単にできる。
【００２８】
さらに帯体１５が透明部材からなるので表示パネル１３の前に帯体１５が対向状態で配置されていても、帯体１５が邪魔にならずに表示パネル１３の内容を確認できる他、収納ポケット１７に入っている小物が何かすぐ判る。
【００２９】
そして、帯体１５が弾性を有すると共に帯体１５の裏面にあるクッション材１９により、外力にも対抗できるため、例えば遊技者によるパチンコ遊技機１が殴打されたことによる破損防止にも寄与する。
【００３０】
さらに収納ポケット１７の底部１７ａに形成されている開口部２１からゴミ，屑，塵埃を排出することが容易になるので、掃除を簡単に行える。
さらにまた、帯体１５を耐火性を有する材料で形成すれば、遊技者の煙草の火が間違って帯体１５に接触しても帯体１５が変形したりする等の問題も生じない。
【００３１】
なお、この実施形態では、受け皿９が、パチンコ球を遊技盤４に打ち出すための打出装置にパチンコ球を供給する上皿の機能とパチンコ遊技球を図示しないパチンコ球収納箱に直接排出する下皿の機能を併せ持つものを開示したが、上皿と下皿とを別々に有するパチンコ遊技機において、上皿にのみ本発明を適用することもできる。
【図面の簡単な説明】
【００３２】
【図１】本発明に係る遊技機の全体斜視図である。
【図２】本発明に係る遊技機の要部拡大斜視図であって受け皿を含む下扉を示す図である。
【図３】図２の正面図である。
【図４】図２の平面図である。
【図５】図２の側面図である。
【図６】図２のＶＩ−ＶＩ線断面図である。
【図７】図２のＶＩＩ−ＶＩＩ線断面図である。
【符号の説明】
【００３３】
１  パチンコ遊技機
２  外枠
３  本体枠
４  遊技盤
５  ガラス扉
６  下扉
７  報知用ランプ
８  スピーカ
９  受け皿
１０  操作ハンドル
１３  表示パネル
１４  照明器具
１５  帯体
１５ａ  左右の端部
１５ａ１  左右の端縁（固定部材）
１５ａ２  下縁（固定部材）
１７  収納ポケット
１７ａ  底部
１９  クッション材
２１  開口部
１３１  側凹部（固定部材）
１３２  下凹部（固定部材）
Ｌ  所定間隔
【図１】
0004448812.tif 000002
【図２】
0004448812.tif 000003
【図３】
0004448812.tif 000004
【図４】
0004448812.tif 000005
【図５】
0004448812.tif 000006
【図６】
0004448812.tif 000007
【図７】
0004448812.tif 000008